【手続補正書】
【提出日】令和3年11月8日(2021.11.8)
【手続補正１】
【補正対象書類名】明細書
【補正対象項目名】００１１
【補正方法】変更
【補正の内容】
【００１１】
【図１】光線方向制御装置の一例を示すブロック図である。
【図２】光線方向制御パネルの主面の法線方向において見た、光透過領域と光吸収領域のレイアウト例の平面図である。
【図３】図２のＩＩＩ−ＩＩＩ切断線における、光線方向制御パネルの他の構成例の断面図である。
【図４Ａ】狭視野角状態の光線方向制御装置と表示パネルとを含む表示装置の構成例を示す。
【図４Ｂ】広視野角状態の光線方向制御装置と表示パネルとを含む表示装置の構成例を示す。
【図５Ａ】狭視野角状態において、光源から光線方向制御パネルの入射面に入射し、出射面から出射する光線角を示す断面図である。
【図５Ｂ】出射光線の角度−透過率分布を示す。
【図６Ａ】広視野角状態において、光源から光線方向制御パネルの入射面に入射し、出射面から出射する光線角を示す断面図である。
【図６Ｂ】出射光線の角度−透過率分布を示す図である。
【図７】狭視野角状態と広視野角状態との間での透過率の変化を示すグラフである。
【図８Ａ】透明電極間に電圧が与えられているときの電気泳動素子の状態を模式的に示す。
【図８Ｂ】透明電極間に電圧が与えられていないときの電気泳動素子の状態を模式的に示す。
【図９】電気泳動粒子の挙動を図示する。
【図１０】光線方向制御パネルの印加電圧に対する所望の透過率応答特性と、環境条件又は電気泳動素子の状態に起因して変化した透過率応答特性と、の例を模式的に示す。
【図１１Ａ】制御装置による印加電圧のフィードバック制御の例を示す。
【図１１Ｂ】制御装置による印加電圧のフィードバック制御に用いるＬＵＴの例を示す。
【図１２】制御装置による印加電圧のフィードバック制御の他の例を示す。
【図１３】制御装置による印加電圧のフィードバック制御の他の例を示す。
【図１４】制御装置による印加電圧のフィードバック制御の他の例を示す。
【図１５】光線方向制御パネルの透過光輝度を測定するため光センサの配置の例を示す。
【図１６】光線方向制御パネルの透過光輝度を測定するため光センサの配置の他の例を示す。
【図１７】光線方向制御装置の回路構成例を模式的に示す。
【図１８】温度を測定するため温度センサを含む表示装置の構成例を示す。
【図１９】光線方向制御装置の回路構成例を模式的に示す。
【図２０】光線方向制御パネル上の対向する対向電極の構成例の斜視図である。
【図２１】光線方向制御パネルの透過光を測定するための光センサと測定用光源の配置の例を示す平面図である。
【図２２Ａ】狭視野角状態における図２１のＸＸＩＩ−ＸＸＩＩ切断線における断面図である。
【図２２Ｂ】広視野角状態における図２１のＸＸＩＩ−ＸＸＩＩ切断線における断面図である。
【図２３】光線方向制御パネルの透明セグメント電極、光センサ及び測定用光源の配置の他の例を示す平面図である。
【図２４】光線方向制御パネルの透明セグメント電極の他の例を示す。
【図２５】透明セグメント電極それぞれへの印加電圧制御のための設定方法例を模式的に示す。
【図２６】図２５に示す方法により設定されたルックアップテーブルに従った印加電圧のフィードバック制御の例を示す。
【図２７】光線方向制御装置の回路構成例を模式的に示す。
【手続補正２】
【補正対象書類名】明細書
【補正対象項目名】００１７
【補正方法】変更
【補正の内容】
【００１７】
透明基板１１、１６は、例えば、ガラス、ＰＥＴ（Ｐｏｌｙ  Ｅｔｈｙｌｅｎｅ  Ｔｅｒｅｐｈｔｈａｌａｔｅ）、ＰＣ（Ｐｏｌｙ  Ｃａｒｂｏｎａｔｅ）、又はＰＥＮ（Ｐｏｌｙ  Ｅｔｈｙｌｅｎｅ  Ｎａｐｈｔｈａｌａｔｅ）で構成することができる。透明電極１２、１５は、例えば、ＩＴＯ、ＺｎＯ、又はＩＧＺＯで構成することができる。
【手続補正３】
【補正対象書類名】明細書
【補正対象項目名】００３８
【補正方法】変更
【補正の内容】
【００３８】
図８Ａに模式的に示すように、負に帯電した電気泳動粒子１４０は、透明電極１２及び１５間に電界が存在する場合、電位の高い電極（透明電極１５）の近くに集中する。一方、図８Ｂに模式的に示すように、電界が存在しない場合、電気泳動粒子１４０の最も安定な状態は、互いの反発力により分散媒中を分散し、巨視的に密度が均一となった状態（完全な分散状態）である。
【手続補正４】
【補正対象書類名】明細書
【補正対象項目名】００５１
【補正方法】変更
【補正の内容】
【００５１】
所望の透過率応答特性５２１において、透過率は時刻Ｔ０から増加を開始し、時刻Ｔ１において目標値ＴＲ０に達している。所望の特性から変化した透過率応答特性５２２において、透過率は時刻Ｔ０から増加を開始し、時刻Ｔ２において値ＴＲ１に達している。時刻Ｔ２は時刻Ｔ１よりも遅く、透過率ＴＲ１は透過率ＴＲ０よりも低い。非電圧印加時間の長期化や環境温度の低下等に起因し、光線方向制御パネル１０の透過率応答特性は、所望の透過率応答特性５２１から透過率応答特性５２２に変化し得る。
【手続補正５】
【補正対象書類名】明細書
【補正対象項目名】００６０
【補正方法】変更
【補正の内容】
【００６０】
具体的な例として、図１１ＢにＬＵＴを示すと共に、その動作を説明する。図１１Ｂの透過光輝度率は、時刻Ｔ１Ａ透過光輝度値を目標輝度値で除算したものである。透過光輝度率が小さいほど目標値から乖離していることを示している。図１１Ａの例では、この値Ａが２０％で有ったとすると、図１１ＢのＬＵＴから、追加の増加電圧値は５Ｖと算出される。これによって、増加分を制御装置２は算出して上乗せし、透明電極１２、１５間の電圧が印加される。
【手続補正６】
【補正対象書類名】明細書
【補正対象項目名】００６６
【補正方法】変更
【補正の内容】
【００６６】
電気泳動粒子１４０は、負電圧値−Ｖ１の期間において、正電圧値Ｖ１の期間における方向と逆向きに動くことによって、透過率５２６は一旦減少する。その後、電気泳動粒子１４０が、この動作によって動きやすくなり、次の正電圧Ｖの印加によって電気泳動粒子１４０がより速く動くことが可能となり、透過率５２６の増加も速くなる。このように交流電圧の印加により、透過率応答特性を改善できる。
【手続補正７】
【補正対象書類名】明細書
【補正対象項目名】００７８
【補正方法】変更
【補正の内容】
【００７８】
図１４の例において、測定した透過光輝度が目標値未満である。したがって、制御装置２は、交流電圧の振幅を増加させる。図１４の例において、振幅はＶ１からＶ２に増加される。Ｖ１は例えば＋５Ｖ、Ｖ２は例えば＋１０Ｖである。制御装置２は、時刻Ｔ１Ｂから時刻Ｔ１まで、振幅Ｖ２の矩形波を光線方向制御パネル１０に与え、時刻Ｔ１から直流電圧値Ｖ２を与える。
【手続補正８】
【補正対象書類名】明細書
【補正対象項目名】０１０３
【補正方法】変更
【補正の内容】
【０１０３】
コントローラ４１は、温度センサ７５の測定温度が含まれる温度レンジを決定し、当該温度レンジの情報をルックアップテーブル４３において参照する。例えば、図１１Ａ又は図１３を参照して説明した例において、温度レンジが低い程、時刻Ｔ１Ａ及びＴ１Ｂにおける電圧の増加率が大きい。
【手続補正９】
【補正対象書類名】明細書
【補正対象項目名】０１０５
【補正方法】変更
【補正の内容】
【０１０５】
図１３を参照して説明した例において、例えば、温度レンジそれぞれに対して、時刻Ｔ０で印加する電圧値、時刻Ｔ１Ａで透過光輝度が目標値に達していない場合の印加電圧（印加電圧の増加量）、及び、時刻Ｔ１Ｂで透過光輝度が目標値に達していない場合の印加電圧（印加電圧の増加量）、を示す。コントローラ４１が透過光輝度測定値に応じて時刻Ｔ１Ａでの印加電圧を制御する場合、ルックアップテーブル４３は、温度レンジそれぞれにおいて、透過光輝度測定値に応じた印加電圧の増加量を決定するための情報を示す。
【手続補正１０】
【補正対象書類名】明細書
【補正対象項目名】０１０６
【補正方法】変更
【補正の内容】
【０１０６】
図１２又は図１４を参照して説明した例において、温度レンジが低い程、交流電圧の振幅の増加率が大きい。図１２を参照して説明した例において、例えば、温度レンジそれぞれに対して、時刻Ｔ１Ａで透過光輝度が目標値に達していない場合に与えられる交流電圧の振幅を（例えば時刻Ｔ０の印加電圧からの変化量によって）示す。コントローラ４１が透過光輝度測定値に応じて振幅を制御する場合、ルックアップテーブル４３は、温度レンジそれぞれにおいて、透過光輝度測定値に応じた振幅を決定するための情報、例えば透過率と振幅を関連付ける情報を示す。
【手続補正１１】
【補正対象書類名】明細書
【補正対象項目名】０１３２
【補正方法】変更
【補正の内容】
【０１３２】
図２５は、透明セグメント電極５５１それぞれへの印加電圧制御のための設定方法例を模式的に示す。当該設定方法は、透明セグメント電極５５１それぞれへの印加電圧制御のための情報を、ルックアップテーブル４４に登録する。ルックアップテーブル４４への登録は、例えば、制御装置２により実行されてもよく、光線方向制御装置１とは異なる外部の制御装置からの信号によって実行されてもよい。
【手続補正１２】
【補正対象書類名】明細書
【補正対象項目名】０１３３
【補正方法】変更
【補正の内容】
【０１３３】
本設定方法は、各セグメントの透過率応答を測定する（Ｓ１０）。具体的には、透明セグメント電極１５５から一つのセグメント（透明セグメント電極５５１）を選択する。選択したセグメントを狭視野角状態にし、選択したセグメント以外のセグメントを広視野角状態にする。具体的には、選択したセグメントの透明セグメント電極５５１に０Ｖを与え、それ以外の全ての透明セグメント電極５５１に所定電位、例えば、１０Ｖを与える。透明電極１２は、グランド電位に維持される。これにより、選択した透明セグメント電極５５１の選択した透明セグメント電極５５１以外の全てのセグメントを広視野角状態に維持する。
【手続補正１３】
【補正対象書類名】明細書
【補正対象項目名】０１４０
【補正方法】変更
【補正の内容】
【０１４０】
印加電圧のグラフにおける実線３１７、３１８、３１９は、制御装置２によってフィードバック制御されている印加電圧を示す。印加電圧３１８は、図２５の例における、１行４列のセグメントへの印加であり、印加電圧３１９は、図２５の例における、２行２列のセグメントへの印加である。印加電圧３１７は、その他のセグメントへの印加である。